(57)【要約】  本発明は、再記録可能なブルーレイディスク（ＢＤ−ＲＷ）または再生専用ブルーレイディスク（ＢＤ−ＲＯＭ）のような高密度光ディスクにおけるデータエラー訂正方法に係り、高密度光ディスクから読み出す物理的クラスタ内に含まれた所定記録サイズのＬＤＣデータに対するエラー存否を、そのＬＤＣデータに隣接したＢＩＳデータと同期データのエラー存否に基づいてそのＬＤＣデータのエラー訂正動作を選択的に遂行する。
2005537604.tif 000002
【特許請求の範囲】
【請求項１】
高密度光ディスクから読み出す物理的クラスタ内に含まれた所定記録サイズのロング・ディスタンスコードのエラー存否を、前記ロング・ディスタンスコードに隣接したバーストインディケーティングサブコードと同期データのエラー存否に基づいて判別する１段階と、
前記判別結果によって、前記ロング・ディスタンスコードのエラー訂正動作を選択的に遂行する２段階とを
含むことを特徴とする高密度光ディスクにおけるデータエラー訂正方法。
【請求項２】
前記１段階は、前記バーストインディケーティングサブコードと同期データにそれぞれエラーが発生した場合、前記所定記録サイズを有するロング・ディスタンスコードにエラーが存在すると判別し、その事実を知らせるためのイレーザーをマークすることを特徴とする請求項１記載の高密度光ディスクにおけるデータエラー訂正方法。
【請求項３】
前記同期データの一部のビットが、前に隣接したロング・ディスタンスコードのエラー存否を判別することに使われ、その残りのビットが、後に隣接した他のロング・ディスタンスコードのエラー存否を判別することに区分して使われることを特徴とする請求項１記載の高密度光ディスクにおけるデータエラー訂正方法。
【請求項４】
前記高密度光ディスクは再記録可能なブルーレイディスクまたは再生専用ブルーレイディスクのうちいずれか一つであることを特徴とする請求項１記載の高密度光ディスクにおけるデータエラー訂正方法。
【請求項５】
前記高密度光ディスクから読み出す物理的クラスタ内に含まれた所定記録サイズのロング・ディスタンスコードのエラー存否を、前記ロング・ディスタンスコードの前／後に隣接したバーストインディケーティングサブコードのエラー存否に基づいて判別する段階をさらに含むことを特徴とする請求項１記載の高密度光ディスクに対するデータエラー訂正方法。
【発明の詳細な説明】
【技術分野】
【０００１】
本発明は、再記録可能なブルーレイディスク（ＢＤ−ＲＷ）または再生専用ブルーレイディスク（ＢＤ−ＲＯＭ）のような高密度光ディスクにおけるデータのエラー訂正方法に関する。
【背景技術】
【０００２】
最近、高画質のビデオデータと高音質のオーディオデータを長時間記録することができる新しい高密度光ディスク、例えば再記録可能なブルーレイディスク（ＢＤ−ＲＷ：Blu-ray Disc Rewritable）の開発が進み、また再生専用ブルーレイディスク（ＢＤ−ＲＯＭ）に対する規格化作業が関連企業間で論議されている。
【０００３】
ＢＤ−ＲＷに記録されるＡ／Ｖデータや多様なコンテンツ情報等のようなユーザーデータは、図１に示したように、データフレーム、スクランブルされたデータフレーム、データブロック、ロング・ディスタンスコードブロック（LDC Block）、そしてロング・ディスタンスコードクラスタ（ＬＤＣ）で多段階の信号処理動作を経てエンコーディングされる。
【０００４】
また、ユーザーデータに対応する関連情報であるユーザーコントロールデータは、アクセスブロック、バーストインディケーティングサブコードブロック（BIS Block）、そしてバーストインディケーティングサブコードクラスタ（BIS Cluster）で多段階の信号処理動作を経てエンコーディングされる。
【０００５】
図１に示すように、前記のように多段階で信号処理及びエンコーディングされたＢＩＳクラスタは、同じサイズの３つの部分に分割され、各部分がＬＤＣクラスタの２つのデータブロックの間に挿入される。各データブロックは所定のサイズを有する。同期データが付加記録されて一つの物理的クラスタを構成させている。
【０００６】
物理的クラスタは、図２に示したように、１５５バイト（同期データを除く）のカラムと４９６バイトのローで構成される。同期データは２０ビットの記録サイズを有しており、第１列ないし第４列のＬＤＣデータは、それぞれ３８バイトの記録サイズ、第１列ないし第３列のＢＩＳデータは、それぞれ１バイトの記録サイズを有する。１バイトのＢＩＳデータは、通常のＲＳ（Reed Solomon）デコーディングシーケンス動作によりエラーの存否をチェックする。
【０００７】
１バイトのＢＩＳデータにエラーが存在する場合、例えば図２に示したように、３８バイトの記録サイズを有する任意の一つのＬＤＣデータの前／後に隣接したそれぞれのＢＩＳデータにエラーが存在する場合には、その間に記録された３８バイトのＬＤＣデータにもエラーが存在すると仮定し、そのエラー存在事実を知らせるためのイレーザー（Erasure）とマークする。
【０００８】
このようにしてイレーザーがマークされた該当ＬＤＣデータに対して、ＲＳデコーディング動作を実行している間にエラー訂正を行う。従って、スクラッチまたは異物などによるＬＤＣデータのエラーが訂正され、ユーザーデータの正常な再生が可能になる。
【０００９】
しかし、前記のような所定記録サイズを有するＬＤＣデータに対するエラー訂正動作は、一つのＬＤＣデータの前／後に隣接したそれぞれのＢＩＳデータの双方にエラーが存在する場合にだけ選択的に行なわれるため、結局第２列と第３列のＬＤＣデータブロックに対してだけ制限的にエラー訂正動作が行われるようになる。したがって、図２に示したように、同期データが隣接された第１列のＬＤＣデータブロック２０２または第４列のＬＤＣデータブロック２０１にエラーが存在する場合、それに対するエラー検出とエラー訂正が不可能になるという問題が発生する。
【発明の開示】
【発明が解決しようとする課題】
【００１０】
したがって、本発明は前記のような問題点を解決するために創作されたものであって、同期データのエラー存否とＢＩＳデータのエラー存否に基づいて、その間に挿入された所定記録サイズのＬＤＣデータに対するエラー存否を判別することによって、さらに正確なエラー訂正が行われるようにする、高密度光ディスクにおけるデータエラー訂正方法を提供することが目的である。
【課題を解決するための手段】
【００１１】
前記のような目的を達成するための本発明による高密度光ディスクにおけるデータエラー訂正方法は、高密度光ディスクから読み出す物理的クラスタに含まれた所定記録サイズのロング・ディスタンスコードのエラー存否を、ロング・ディスタンスコードに隣接したバーストインディケーティングサブコードと同期データのエラー存否に基づいて判別する１段階と、その判別結果によって、ロング・ディスタンスコードのエラー訂正動作を選択的に実行する２段階とを含むことを特徴とする。
【００１２】
前記のような特徴を有する本発明による高密度光ディスクにおけるデータエラー訂正方法は、物理的クラスタに含まれるＬＤＣデータがスクラッチまたは異物などによりエラーがあってもすべての列のＬＤＣデータのエラーを正確に訂正できる。
【発明を実施するための最良の形態】
【００１３】
以下、本発明による高密度光ディスクにおけるデータエラー訂正方法に対する望ましい実施形態に対して、添付した図面を参照しながら詳細に説明する。
【００１４】
本発明による高密度光ディスクにおけるデータエラー訂正方法は、図３に示したように、ディスクに記録された信号を読み出す光ピックアップ１１、前記読み出された信号をバイナリ信号に変換し、バイナリ信号からデジタル信号を検索し、そのデジタル信号をデコディングし、データのエラーを訂正し、全体的なデコーディング動作を制御するＶＤＰシステム１２及びデジタルデータをアナログ信号に変換するＤ／Ａ変換器１３などを含む光ディスク再生装置に適用される。ＶＤＰシステム１２は、ユーザーの要求によって、装置内に挿着されたＢＤ−ＲＷまたはＢＤ−ＲＯＭのような光ディスク１０を再生する一連の再生動作を実行する。
【００１５】
図４に示したように、光ディスク１０から読み出す物理的クラスタ内に含まれた３８バイトの第２列及び第３列のＬＤＣデータブロックに対するエラー存否を、そのＬＤＣデータの前／後にそれぞれ隣接されたＢＩＳデータ間のエラー存否に基づいて判別すると同時に、物理的クラスタ内に含まれた３８バイトの第１列及び第４列のＬＤＣデータ４０２、４０１に対するエラー存否を、そのＬＤＣデータブロックの前／後にそれぞれ隣接されたＢＩＳデータと同期データのエラー存否に基づいて判別する。
【００１６】
そして、前記のような過程を介して該当ＬＤＣデータにエラーが存在すると判別された場合、その事実を知らせるためのイレーザーをマークして、そのイレーザーがマークされた該当ＬＤＣデータに対するＲＳデコーディング動作を実施してエラー訂正を行う。それによって、スクラッチまたは異物などによるＬＤＣデータのエラーを訂正する。
【００１７】
ＶＤＰシステム１２は、図５に示したように、復調部１２０、同期エラー検出部１２１、分離部１２２、ＢＩＳディインターリビング部（De-Interleaving）１２３、ＢＩＳブロックバッファ１２４、ＢＩＳデコーディング部１２５、イレーザーチェック部１２６、ＬＤＣディインターリビング部１２７、ＬＤＣブロックバッファ１２８、ＬＤＣデコーディング部１２９等のような複数の概念的な構成ブロックに区分される。同期エラー検出部１２１は、復調部１２０を経て復調出力されるデータストリームのうち、２０ビットの同期データを抽出して、事前に設定された予測同期データと比較した後、その同期データのエラー存否を検出する。
【００１８】
また、分離部１２２は、復調部１２０を経て復調出力されるデータストリームのうち、ＢＩＳデータとＬＤＣデータをそれぞれ分離出力するもので、ＢＩＳディインターリビング部１２３では、分離出力されるＢＩＳデータをディインターリビングして、ＢＩＳブロックバッファ１２４に格納する。この時ＢＩＳデコーディング部１２５では、ＢＩＳブロックバッファに格納されたＢＩＳデータをＲＳデコーディングシーケンス動作を実施し、完了した後、図４に示したように、１バイトのＢＩＳデータに対するエラー存否を判別して、その判別結果をイレーザーチェック部１２６に出力する。
【００１９】
イレーザーチェック部１２６は、前記のようにＢＩＳデコーディング部１２５から判別出力されたＢＩＳデータのエラー存否と、同期エラー検出部１２１から検出出力される同期データのエラー存否をそれぞれ参照して、３８バイトの記録サイズを有するＬＤＣデータに対するイレーザーをチェックしてその結果をマークする。
【００２０】
ＬＤＣディインターリビング部１２７は、分離部１２２を経て分離出力されたＬＤＣデータをディインターリビングして、ＬＤＣブロックバッファ１２８に格納する。ＬＤＣデコーディング部１２９では、ＬＤＣブロックバッファに格納されたＬＤＣデータに対するＲＳデコーディングシーケンス動作を遂行する。この時、イレーザーチェック部１２６によりチェック結果によってマークされたイレーザーを参照して、イレーザーがマークされていれば３８バイトのＬＤＣデータに対するエラー訂正動作を選択的に実行する。
【００２１】
これにより、物理的クラスタに含まれるすべての列のＬＤＣデータに対するエラー訂正が可能になる。
【００２２】
同期エラー検出部１２１は、２０ビットの記録サイズを有する同期データを１０ビット単位で区分した後、その１０ビット単位の同期データに対するエラー存否をそれぞれ検出することができる。この場合、図６に示したように、後の１０ビット同期データのエラー存否は、その同期データの後に隣接したＬＤＣデータ、すなわち第１列のＬＤＣデータに対するエラー存否を判別することに使い、前の１０ビット同期データのエラー存否は、その同期データの前に隣接したＬＤＣデータ、すなわち第４列のＬＤＣデータに対するエラー存否を判別するのに区分して使う。
【００２３】
以上、前述した本発明の望ましい実施形態は、例示の目的のために開示されたものであって、当業者ならば、添付された特許請求範囲に開示された本発明の技術的思想とその技術的範囲内で、また他の多様な実施形態を改良、変更、代替または付加などが可能であることである。
【図面の簡単な説明】
【００２４】
【図１】再記録可能なブルーレイディスク（ＢＤ−ＲＷ）の物理的クラスタをエンコーディングする過程を示した図。
【図２】再記録可能なブルーレイディスクの物理的クラスタをデコーディングする過程を示した図。
【図３】本発明による高密度光ディスクにおけるデータエラー訂正方法が適用される光ディスク装置に対する構成を概略的に示した図。
【図４】本発明による高密度光ディスクにおけるデータエラー訂正方法により物理的クラスタをデコーディングする過程を示した図。
【図５】本発明による高密度光ディスクにおけるデータエラー訂正方法に対する動作説明のための詳細ブロック図を概念的に示した図。
【図６】本発明による高密度光ディスクにおけるデータエラー訂正方法に対する実施形態を示したものである。
【図１】
2005537604.tif 000003
【図２】
2005537604.tif 000004
【図３】
2005537604.tif 000005
【図４】
2005537604.tif 000006
【図５】
2005537604.tif 000007
【図６】
2005537604.tif 000008
【国際調査報告】
2005537604.tif 000009